(57)【特許請求の範囲】
【請求項１】
横方向に連設された複数の側面部２１，２２，２３，２４と、前記複数の側面部の下端に連設された複数の底面形成片４１，４２，４３，４４とを備えた展開基板からなり、前記複数の側面部を折り重ねるとともに、前記複数の底面形成片を前記複数の側面部の間に折り込むことによって折り畳められる包装箱において、
前記複数の側面部の内面に支持される仕切部５１を設け、前記仕切部は、折り曲げ可能に延出する延出部５１ａを有し、且つ、この延出部５１ａには、前記折り曲げを容易化する斜めの折り線Ａ又は切込みを設けて構成され、
更に当該包装箱を折り畳んだ際に、前記延出部５１ａを前記側面部２１と前記底面形成片４１，４２との間に介在させるものであって、
更に、前記延出部５１ａは、当該包装箱の組み立て時における前記底面形成片４１，４２，４３，４４の移動の際に、該底面形成片４１に押されて、前記斜めの折り線Ａ又は切込みの箇所にて折り曲げられつつこの延出部５１ａを有する仕切部５１が移動するものであり、
更に、前記仕切部５１は、糊付部６２を間にして一対設けられるものであって、この一対の仕切部５１に延出する前記延出部５１ａの前記斜めの折り線Ａ又は切込みは、前記糊付部６２に対して対称に設けられていることを特徴とする包装箱。
【発明の詳細な説明】
【０００１】
【発明の属する技術分野】
本発明は、内部を区画する仕切を有し且つ折り畳み可能な包装箱に関する。
【０００２】
【従来の技術】
ガラス製の小瓶やコップを複数個収納する包装箱は、それらの収納物同士が接触して破損したり、運搬時にガチャガチャと音を発生したりすることがないように、その内部を仕切によって区画されている。
【０００３】
例えば、図６に示す包装箱７０の場合は、包装箱７０とは別体の仕切部材７１を挿入することによって仕切を設け、その内部を区画するようにしている。
【０００４】
一般に、この種の包装箱は、横方向に連設された複数の側面部と、これら複数の側面部の下端に連設された複数の底面形成片とを備えた紙製又は段ボール製の展開基板からなるものであって、かさ張らないように折り畳み可能に構成されており、収納物を箱詰めする際に組み立てられている。
【０００５】
特に、このような包装箱は、折り畳んだ状態から素速く組み立てることができるように、側面部を折り重ねるとともに、底面形成片を複数の側面部の間に折り込むことによって折り畳められており、折り畳んだ状態から複数の側面部を立体的に起こすとともに、複数の底面形成片が組み合わされて底面が形成されるように構成されている。
【０００６】
【発明が解決しようとする課題】
ところで、前述したような包装箱において、仕切部材及びその挿入作業を省略するのであれば、複数の側面部の内面に仕切部を支持するようにしている。
【０００７】
この構成によれば、構成部材の個数を削減できるとともに、素速く組み立てることができて箱詰め作業の効率を向上することができる。
【０００８】
しかしながら、底面形成片を折り込むことによって折り畳められる包装箱に対し、このような仕切部を設ける場合は、仕切を満足に確保することができないという不都合があった。
【０００９】
すなわち、図７に示すように、仕切部８１は、包装箱８０の組み立て時に、底面形成片と干渉しないように、その包装箱８０の底面からある程度の間隔を置いて設けざるを得ず、このような間隔によると、収納物同士が接触することとなり、従来では、これが収納物の破損や騒音の原因となっている。
【００１０】
そこで本発明は、以上の問題点を鑑みて、折り畳んだ状態から素速く組み立てることができるとともに、仕切を十分に確保できる包装箱を提供することを目的としている。
【００１１】
【課題を解決するための手段】
本願第１請求項に記載した発明は、横方向に連設された複数の側面部２１，２２，２３，２４と、前記複数の側面部の下端に連設された複数の底面形成片４１，４２，４３，４４とを備えた展開基板からなり、前記複数の側面部を折り重ねるとともに、前記複数の底面形成片を前記複数の側面部の間に折り込むことによって折り畳められる包装箱において、前記複数の側面部の内面に支持される仕切部５１を設け、前記仕切部は、折り曲げ可能に延出する延出部５１ａを有し、且つ、この延出部５１ａには、前記折り曲げを容易化する斜めの折り線Ａ又は切込みを設けて構成され、更に当該包装箱を折り畳んだ際に、前記延出部５１ａを前記側面部２１と前記底面形成片４１，４２との間に介在させるものであって、更に、前記延出部５１ａは、当該包装箱の組み立て時における前記底面形成片４１，４２，４３，４４の移動の際に、該底面形成片４１に押されて、前記斜めの折り線Ａ又は切込みの箇所にて折り曲げられつつこの延出部５１ａを有する仕切部５１が移動するものであり、更に、前記仕切部５１は、糊付部６２を間にして一対設けられるものであって、この一対の仕切部５１に延出する前記延出部５１ａの前記斜めの折り線Ａ又は切込みは、前記糊付部６２に対して対称に設けられている包装箱である。
【００１２】
このように、本発明の包装箱によると、複数の側面部の内面に支持される仕切部を設け、仕切部は、折り曲げ可能に延出する延出部を有し、当該包装箱を折り畳んだ際において、延出部が側面部と底面形成片との間に介在するので、折り畳んだ状態から素速く組み立てられるとともに、仕切が十分に確保される。
【００１３】
すなわち、仕切部は、当該包装箱の組み立て時に、底面形成片と干渉しないように、その包装箱の底面からある程度の間隔を置いて設けざるを得ず、このような間隔によると、収納物同士が接触することとなり、従来では、これが収納物の破損や騒音の原因となっていたが、本発明では、延出部によって、斯かる間隔における仕切が補足されるので、そのような不都合が解消される。
【００１４】
特に、この延出部は、当該包装箱の組み立て時には、底面形成片の移動に伴って、折り曲げられつつ移動するので、底面形成片との干渉が回避される。
【００１６】
更に、延出部には、折り曲げ用の折り線又は切込みを設けたので、延出部が比較的容易に折り曲げられ、その結果、延出部の不要な変形が防止されるとともに、より円滑に組み立てられる。
【００２０】
【発明の実施の形態】
以下に、本発明の具体例について、図面に基いて詳細に説明する。
【００２１】
図１乃至図５に示すように、本例の包装箱１は、横方向に連設された第１側面部２１、第２側面部２２、第３側面部２３、及び第４側面部２４と、前記第２及び第４側面部２２，２３，２４の上端にそれぞれ連設された蓋部３１，３２，３３と、前記第１及び第４側面部２１，２２，２３，２４の下端にそれぞれ連設された第１底面形成片４１、第２底面形成片４２、第３底面形成片４３、第４底面形成片４４と、前記第１、第２側面部２１，２２の内面に支持される複数の仕切部５１，５１と、前記第１、第２側面部２１，２２の内面にそれぞれ貼着される複数の糊付部６１，６２，６３とを備えた展開基板１’（図１参照）からなり、仕切部５１，５１及び糊付部６１，６２，６３を挟むように第１及び第４側面部２１，２２，２３，２４を折り重ねるとともに、各底面形成片４１，４２，４３，４４をその間に折り込むことによって折り畳められ（図２参照）、組み立てた際には、第１側面部２１と第２側面部２２、並びに、第３側面部２３と第４側面部２４とが対向するとともに、各底面形成片４１，４２，４３，４４が組み合わされて底面が形成され、大略、上面が開口された直方体を呈するように構成されている（図３参照）。
【００２２】
この上部の開口は、各蓋部３１，３２，３３を所定の方向に折り曲げるとともに、第２側面部２２に連設された蓋部３１の先端たる蓋舌３１ａをその内側に差込むことによって閉鎖される。
【００２３】
本例の場合、第１底面形成片４１は、折り曲げ可能な連結部４１ａを有し、この連結部４１ａを第３底面形成片４３に貼着することによって、第３底面形成片４３と連結されている。また、第２底面形成片４２は、折り曲げ可能な連結部４２ａを有し、この連結部４２ａを第４底面形成片に貼着することによって、第４底面形成片４４と連結されている。
【００２４】
すなわち、この構成によると、包装箱１を折り畳んだ状態から、第１側面部２１及び第３側面部２３の折り曲げ箇所と、第２側面部２２及び第４側面部２４の折り曲げ箇所とを双方から押さえ付けることによって、第１及び第４側面部２１，２２，２３，２４が立体的に起こされるとともに、各底面形成片４１，４２，４３，４４が組み合わせられて、底面が形成される。
【００２５】
各仕切部５１，５１は、後述するように延出部５１ａ，５１ａを有し、包装箱１の内部を区画するものである。
【００２６】
各糊付部６１，６２，６３は、それぞれ、接着剤を塗布されたのち、第１、第２側面部２１，２２内面の所定の部位に貼着されて、第２側面部２２と第４側面部２４とを連結するともに、各仕切部５１，５１を第１側面部と第２側面部の内面に支持するように設けられている。
【００２７】
尚、図中の２２ａは、第２側面部２２の切り取り部であって、これを切り取ることにより、収納物の一部（バーコード表示部等）が露呈されるように構成している。
【００２８】
各仕切部５１，５１は、折り曲げ可能に延出する延出部５１ａ，５１ａを有し、包装箱１を折り畳んだ際は、延出部５１ａ，５１ａを各側面部２１，２２，２３，２４と各底面形成片４１，４２，４３，４４との間に介在するようにしている。
【００２９】
すなわち、仕切部５１は、包装箱１の組み立て時に、底面形成片４１，４２，４３，４４と干渉しないように、その底面からある程度の間隔を置いて支持されており、斯かる間隔における仕切は、延出部５１ａによって補足されるように構成している。
【００３０】
従って、各延出部５１ａ，５１ａは、包装箱１の組み立て時には、各底面形成片４１，４２，４３，４４の移動に伴って、折り曲げられつつ移動するので、底面形成片との干渉が回避される（図４参照）。
【００３１】
また、本例の延出部５１ａ，５１ａは、その要所に折り線Ａ，Ａ又は切込みを設けたので、比較的容易に折り曲げられる。
【００３２】
また、第２の底面形成片４２には、包装箱の組み立て時に、その頂部Ｂが第１の底面形成片４１に突き当てられる凸状の縁部を設けており、各底面形成片４１，４２，４３，４４が正確に組み合わせられるように構成している。
【００３３】
すなわち、このような凸状の縁部によると、包装箱１の組み立て時に、各底面形成片４１，４２，４３，４４は、適宜支え合いながら移動する（図５参照）。
【００３４】
以上説明したように、本例の包装箱によると、複数の側面部の内面に支持される仕切部を設け、仕切部は、折り曲げ可能に延出する延出部を有し、当該包装箱を折り畳んだ際は、延出部を側面部と底面形成片との間に介在したので、折り畳んだ状態から素速く組み立てることができるとともに、仕切を十分に確保できる。
【００３５】
すなわち、仕切部は、当該包装箱の組み立て時に、底面形成片と干渉しないように、その包装箱の底面からある程度の間隔を置いて設けざるを得ず、このような間隔によると、収納物同士が接触することとなり、従来では、これが収納物の破損や騒音の原因となっていたが、本例では、延出部によって、斯かる間隔における仕切を補足することができるので、そのような不都合を解消することができる
特に、この延出部は、当該包装箱の組み立て時には、底面形成片の移動に伴って、折り曲げられつつ移動するので、底面形成片との干渉を回避することができる。
【００３６】
また、本例の包装箱によると、延出部には、折り曲げ用の折り線又は切込みを設けたので、延出部を比較的容易に折り曲げることができ、その結果、延出部の不要な変形を防止できるとともに、より円滑に組み立てるとができる。
【００３７】
また、本例の包装箱によると、複数の底面形成片のうちの少なくとも一つは、当該包装箱の組み立て時に、その頂部が他の底面形成片に突き当てられる凸状の縁部を備えたので、複数の底面形成片を正確に組み合わせることができる。
【００３８】
すなわち、このような凸状の縁部によると、当該包装箱の組み立て時に、複数の底面形成片は、適宜支え合いながら移動することができ、延出部の折り曲げに伴う押圧にも対応することができる。
【００３９】
【発明の効果】
本願第１請求項に記載した発明は、横方向に連設された複数の側面部２１，２２，２３，２４と、前記複数の側面部の下端に連設された複数の底面形成片４１，４２，４３，４４とを備えた展開基板からなり、前記複数の側面部を折り重ねるとともに、前記複数の底面形成片を前記複数の側面部の間に折り込むことによって折り畳められる包装箱において、前記複数の側面部の内面に支持される仕切部５１を設け、前記仕切部は、折り曲げ可能に延出する延出部５１ａを有し、且つ、この延出部５１ａには、前記折り曲げを容易化する斜めの折り線Ａ又は切込みを設けて構成され、更に当該包装箱を折り畳んだ際に、前記延出部５１ａを前記側面部２１と前記底面形成片４１，４２との間に介在させるものであって、更に、前記延出部５１ａは、当該包装箱の組み立て時における前記底面形成片４１，４２，４３，４４の移動の際に、該底面形成片４１に押されて、前記斜めの折り線Ａ又は切込みの箇所にて折り曲げられつつこの延出部５１ａを有する仕切部５１が移動するものであり、更に、前記仕切部５１は、糊付部６２を間にして一対設けられるものであって、この一対の仕切部５１に延出する前記延出部５１ａの前記斜めの折り線Ａ又は切込みは、前記糊付部６２に対して対称に設けられている包装箱である。
【００４０】
このように、本発明の包装箱によると、複数の側面部の内面に支持される仕切部を設け、仕切部は、折り曲げ可能に延出する延出部を有し、当該包装箱を折り畳んだ際に、延出部が側面部と底面形成片との間に介在するので、折り畳んだ状態から素速く組み立てることができるとともに、仕切を十分に確保できる。
【００４１】
すなわち、仕切部は、当該包装箱の組み立て時に、底面形成片と干渉しないように、その包装箱の底面からある程度の間隔を置いて設けざるを得ず、このような間隔によると、収納物同士が接触することとなり、従来では、これが収納物の破損や騒音の原因となっていたが、本発明では、延出部によって、斯かる間隔における仕切を補足することができるので、そのような不都合を解消することができる。
【００４２】
特に、この延出部は、当該包装箱の組み立て時には、底面形成片の移動に伴って、折り曲げられつつ移動するので、底面形成片との干渉を回避することができる。
【００４４】
更に、延出部には、折り曲げ用の折り線又は切込みを設けたので、延出部が比較的容易に折り曲げられ、その結果、延出部の不要な変形が防止されるとともに、より円滑に組み立てられる。
【図面の簡単な説明】
【図１】  本発明の具体例に係り、包装箱の展開基板を示す正面図である。
【図２】  本発明の具体例に係り、折り畳んだ状態の包装箱を示す外観図である。
【図３】  本発明の具体例に係り、組み立てた状態の包装箱を示す外観図である。
【図４】  本発明の具体例に係り、組み立て時の包装箱を示す外観図である。
【図５】  本発明の具体例に係り、組み立て時の包装箱を示す外観図である。
【図６】  従来例に係り、包装箱を示す外観図である。
【図７】  従来例に係り、包装箱を示す外観図である。
【符号の説明】
１      包装箱
１’      展開基板
２１      第１側面部
２２      第２側面部
２３      第３側面部
２４      第４側面部
３１      蓋部
３１ａ      蓋舌
３２      蓋部
３３      蓋部
４１      第１底面形成片
４１ａ      接合部
４２      第２底面形成片
４２ａ      接合部
４３      第３底面形成片
４４      第４底面形成片
５１      仕切部
５１ａ      延出部
６１      糊付部
６２      糊付部
６３      糊付部
Ａ      折り線
Ｂ      凸状の縁部の頂部
【図１】
0003718052.tif 000002
【図２】
0003718052.tif 000003
【図３】
0003718052.tif 000004
【図４】
0003718052.tif 000005
【図５】
0003718052.tif 000006
【図６】
0003718052.tif 000007
【図７】
0003718052.tif 000008